(57)【要約】【課題】簡易な構造からなり、例えば、足場の悪い屋根上の施工場所等においても容易に設置でき、且つ、集塵能力に優れた瓦切断粉塵収集装置を提供する。【解決手段】瓦切断粉塵収集装置は直方体のケーシング1 と、該ケーシング1 の内部の空気を排気するための排気ファン4 から形成され、ケーシング1 は、上面2 、下面3 及び側面4 とからなる筐体で、その上面2 には、瓦切断の際使用される回転カッターの厚みよりも大きい巾の粉塵収集用開口部5 が設けられている。また、排気ファン7 は、その吸引口をケーシング1 の内部に向けて側面4 に固設するとともに、吸引口にはフィルターが装着されている。本装置は瓦切断の際発生する粉塵をケーシング1 内に効率的に吸引すると共に、シンプルな構成からなるので持ち運びが容易であり、足場の悪い屋根上でも容易に設置して安全に作業することができる。【選択図】図1
2007090808.tif 000002
【特許請求の範囲】
【請求項１】
上面、下面及び側面とからなるケーシングの前記上面に回転カッターの厚みよりも大きい巾の粉塵収集用開口部を設け、前記側面に、少なくとも１個の排気ファンをその吸引口を前記ケーシング内部に向けて設けるとともに、該吸引口にフィルターを設けたことを特徴とする瓦切断粉塵収集装置。
【請求項２】
フィルターを設けた吸引口を下面に向けて設けたことを特徴とする請求項1 記載の瓦切断粉塵収集装置。
【請求項３】
フィルターに錘を設けたたことを特徴とする請求項2 記載の瓦切断粉塵収集装置。
【請求項４】
上面を、側面に着脱自在に取り付けたことを特徴とする請求項1 〜3 のいずれか1 項に記載の瓦切断粉塵収集装置。
【請求項５】
下面を、スライドさせることにより開閉可能に、側面に取り付けたことを特徴とする請求項1 〜4 のいずれか1 項に記載の瓦切断粉塵収集装置。
【請求項６】
下面を、ヒンジにより開閉可能に、側面に取り付けたことを特徴とする請求項1 〜4 のいずれか1 項に記載の瓦切断粉塵収集装置。
【請求項７】
下面に滑り止め脚部を設けたことを特徴とする請求項1 〜6 のいずれか1 項に記載の瓦切断粉塵収集装置。
【請求項８】
滑り止め脚部が伸縮可能であることを特徴とする請求項7 記載の瓦切断粉塵収集装置。
【発明の詳細な説明】
【技術分野】
【０００１】
本発明は、屋根瓦を所定寸法に切断する際に発生する粉塵を収集する瓦切断粉塵収集装置に関し、更に詳しくは、簡易な構造からなり、例えば、足場の悪い屋根上の施工場所等においても容易に設置でき、且つ、集塵能力に優れた瓦切断粉塵収集装置に関する。
【背景技術】
【０００２】
一般に、屋根瓦の隅棟部や大棟部、谷部等については、端部の瓦を寸法に合わせて電動カッターによって切断した後施工される。特に粘土瓦、陶器瓦、プレスセメント瓦、コンクリート瓦等の切断には、切断機としてはダイヤモンドホイール付ディスクグラインダーが広く用いられている。そして、瓦を切断する際には、切断による粉塵が大量に発生し、様々な問題を引き起こす。
【０００３】
例えば、（１）瓦の上に粉塵が積もり、滑ったり転倒し易くなり、極めて危険である、（２）瓦が粉塵で汚染され、そのまま放置すると美観を損なうので、掃除が必要となり余計な労力が必要となる、（３）粉塵が周辺に飛散し、環境を汚染し、また、近隣住民からの苦情の原因となる、等である。
【０００４】
かかる問題に対処するために、例えば丸鋸の刃先より広い幅で刃身方向に亘るスリット状の吸い込み口を丸鋸の刃先直下で開口する筒状の吸引ダクトをカッター架台の下部に装備し、その吸引ダクトの下部側と排出ホースで集塵機を連結し、この吸引ダクトを含む電動カッターをカッター架台でガイドレールの上部側に備え付けると共に、吸引ダクトを載置台の板面より下方でカッター架台と一体に移動可能に備え付けて構成された粉塵の飛散防止可能な電動カッター装置が提案されている（例えば、特許文献１参照）。
【０００５】
また、集塵機の吸引ホースと連結する接続パイプを丸鋸の回転方向前方でカッター台の板面より立ち上げて設けると共に、先端がカッター台の板面より下方に向かって被加工材の切断線より面上に出る丸鋸の刃先近くから刃身を囲む断面略Ｕ字状の吸い込みノズルを接続パイプから延長させて設けた集塵機を備える電動カッター装置が提案されている（例えば、特許文献２参照）。
【特許文献１】特開2003-094432 号公報
【特許文献２】特開2003-251624 号公報
【発明の開示】
【発明が解決しようとする課題】
【０００６】
しかしながら、上記の如く、電動カッターに集塵機を取り付けて集塵する方式のものは、集塵効率が不十分で、また、吸引ホースや排出ホースが必要不可欠であるため、装置全体としての構成が極めて大掛かりとならざるをえず、いきおいコストアップとなる。また、これらの装置は、吸引ホースや排出ホースを有するため、足場が悪く、スペースの限られた屋根上に置いたり、屋根上を移動したりすることは極めて困難で、作業能率を著しく低下させる原因となっている。
【０００７】
本発明は、かかる実情に鑑み、上記従来技術の課題を解決するもので、吸引ホースや排出ホースが不要な極めてコンパクトな構造からなり、従って、足場が悪く、限られたスペースの屋根上にも容易に置くことができ、また、容易に移動することができ、作業能率を大巾に向上させるとともに、集塵能力の優れた瓦切断粉塵収集装置を提供することを目的としている。
【課題を解決するための手段】
【０００８】
上記目的を達成するために、本発明の請求項１は、上面、下面及び側面とからなるケーシングの前記上面に回転カッターの厚みよりも大きい巾の粉塵収集用開口部を設け、前記側面に、少なくとも１個の排気ファンをその吸引口を前記ケーシング内部に向けて設けるとともに、該吸引口にフィルターを設けたことを特徴とする瓦切断粉塵収集装置を内容とする。
【０００９】
本発明の請求項２は、フィルターを設けた吸引口を下面に向けて設けたことを特徴とする請求項1 記載の瓦切断粉塵収集装置を内容とする。
【００１０】
本発明の請求項３は、フィルターに錘を設けたたことを特徴とする請求項2 記載の瓦切断粉塵収集装置を内容とする。
【００１１】
本発明の請求項４は、上面を、側面に着脱自在に取り付けたことを特徴とする請求項1 〜3 のいずれか1 項に記載の瓦切断粉塵収集装置を内容とする。
【００１２】
本発明の請求項５は、下面を、スライドさせることにより開閉可能に側面に、取り付けたことを特徴とする請求項1 〜4 のいずれか1 項に記載の瓦切断粉塵収集装置を内容とする。
【００１３】
本発明の請求項６は、下面を、ヒンジにより開閉可能に、側面に取り付けたことを特徴とする請求項1 〜4 のいずれか1 項に記載の瓦切断粉塵収集装置を内容とする。
【００１４】
本発明の請求項７は、下面に滑り止め脚部を設けたことを特徴とする請求項1 〜6 のいずれか1 項に記載の瓦切断粉塵収集装置を内容とする。
【００１５】
本発明の請求項８は、滑り止め脚部が伸縮可能であることを特徴とする請求項7 記載の瓦切断粉塵収集装置を内容とする。
【発明の効果】
【００１６】
本発明による瓦切断粉塵収集装置は、ケーシングの上面に回転カッターの厚みよりも大きい巾の粉塵収集用開口部を設け、且つケーシングの側面には、排気ファンをその吸引口をケーシング内部に向けて設けると共に、該吸引口にフィルターを設けた構成からなるので、従来、この種の装置に不可欠な吸引ホースや排出ホースが不要であり、極めてコンパクトである。
【００１７】
かくして、本発明による瓦切断粉塵収集装置は、足場が悪く、スペースも限られた屋根上でも簡単に設置することができ、また、屋根上を容易に移動させることができる。
【００１８】
また、本発明の瓦切断粉塵収集装置によれば、瓦を切断する際に発生する粉塵は、粉塵収集用開口部を通過して負圧状態のケーシング内に吸引・収集される。したがって、粉塵が周囲に飛散して、滑ったり転倒したりするトラブルがなく、また、瓦が粉塵で汚染されることもなく、更に、環境を汚染して近隣から苦情が出ることもない。
【発明を実施するための最良の形態】
【００１９】
本発明は、ケーシングの上面に、瓦を切断する際に使う回転カッターの厚みよりも大きい巾の粉塵収集用開口部を設け、ケーシングの側面に、少なくとも１個の排気ファンをその吸引口を前記ケーシング内部に向けて設けると共に、該吸引口にフィルターを設けたことを特徴としている。
【００２０】
本発明におけるケーシングは、上面、下面及び側面とからなり、直方体、立方体等の箱状のものが好ましいが、これらに限られず、断面が円形や楕円形のものであってもよい。
また、ケーシングの材質としては、ある程度の剛性強度と耐水性が必要であるため、樹脂製、金属性、木製、フィルムを片面又は両面にラミネートしたダンボール紙等があげられるが、コストと軽量性の観点からは、フィルムを片面又は両面にラミネートしたダンボール紙が好ましい。
【００２１】
また、ケーシングの概略寸法は、切断する瓦の大きさにもよるが、一例を示せば、幅350 〜500 mm、長さ350 〜600 mm、高さ350 〜500 mm程度から選ぶのが好ましい。粉塵収集用開口部が設けられる上面の寸法は、これより大きくして、例えば、幅、長さとも600 mm程度としても良い。
【００２２】
ケーシングの上面には、粉塵収集用開口部が設けられる。粉塵収集用開口部は瓦を切断した際に生じる粉塵をケーシング内部に吸引収集するための開口部で、通常、上面の中央に設けられる。粉塵収集用開口部は、回転カッターの厚みよりも大きい巾であることが必要で、長さは切断される瓦の長さ以上に設けることが好ましい。一例を示せば、上面の中央付近に幅30〜100 mm、長さ300 〜550 mm程度に設けられるが、実用上の幅は70mm程度、長さは500 mm程度が好適である。
【００２３】
ケーシングの側面には、少なくとも１個の排気ファンをその吸引口を前記ケーシング内部に向けて設けられる。排気ファンの排気量が小さい場合は２個以上設けられ、例えば、ケーシングが直方体、立方体等の箱状のものからなる場合は、４個の各側面にそれぞれ１個づつの計４個設けてもよい。排気ファンは特に制限されないが、小型換気扇、とりわけ、トイレ用の排気ファンが安価且つコンパクトであるので好ましい。
【００２４】
吸引口には、フィルターが設けられる。フィルターとしては、紙、布等の何れでもよい。また、フィルターの取り付け方法には特に制限はなく、後述するように、ゴムバンド、紐、ワイヤー、取り付け枠体等により取り付ければよい。また、フィルターの粉塵の吸着能力を大きくするために、吸引口にメッシュ状の枠体を取付け、該枠体に袋状のフィルターを被着させてフィルターの表面積を拡大してもよい。
【００２５】
吸引口に設けたフィルターに錘を付設することによって、後述するように、スイッチのオン・オフによってフィルターが自動的に掃除される効果が得られる。錘は、フィルターに直接取り付けてもよく、また、紐等により吊設してもよい。
【００２６】
また、ケーシングの上面を側面に着脱自在に取り付けるように構成したり、下面をスライドするように構成して開閉可能にしたり、下面をヒンジにより開閉可能に側面に取り付けたりすることによって、装置内部の点検、フィルターの掃除や交換を容易にし、またケーシング内に溜まった粉塵を効率良く排出することができる。
【００２７】
また、ケーシングの下面に滑り止め脚部を設けることにより、瓦切断粉塵収集装置を安定した状態に保つことができ、更に、滑り止め脚部を伸縮可能とすることにより、例えば、傾斜した屋根上でも水平な状態に保持することができ、作業性が大巾に向上する。
【００２８】
本発明に使用される回転カッターは特に制限されず、電動の丸鋸、ダイヤモンドホイール付ディスクグラインダー等が挙げられる。
【００２９】
以下、本発明を実施態様を示す図面に基づいて詳細に説明するが、本発明はかかる実施態様に何ら制限されるものではない。
【００３０】
実施態様１
本発明の実施態様1 としての瓦切断粉塵収集装置を図1 、図2(a)、 (b)、 (c)に基づいて説明する。なお、装置の各構成要素を結合するのに必要なネジ類等は図示せず省略して説明する。以下の実施態様においても同様である。
【００３１】
これらの図に示したように、ケーシング1 は、上面2 、下面3 及び側面4 とからなる直方体の筐体であり、上面2 の中央付近には、回転カッター( 図示せず) の厚みよりも大きい巾の粉塵収集用開口部5 が設けられている。
【００３２】
また、側面4 には、排気ファン7 をその吸引口6 をケーシング1 の内部に向けて側面4 に固設するとともに、吸引口6 には布や紙から成るフィルター8 を被せるようにして装着したうえ、該フィルター8 をゴムバンド9 によって固定している。
【００３３】
また、排気ファン7 の吸引口6 と対向する側には、該吸引口6 からケーシング1 内の空気を吸引して排気するためのモーター10によって駆動される羽根車11が設けられ、ケーシング1 内から吸引される空気は端部のカバー12の隙間13から排出される。
【００３４】
なお、モーター10には、テーブルタップ( 図示せず) の差込口に接続される電源プラグ14の着いた電源コード15を介して電力が供給され、排気ファン7 の手元に設けられたスイッチ16によって供給電力がオン・オフ制御される。
【００３５】
また、図2(a)に示したように、フィルター8 を吸引口6 に固定する手段として、ゴムバンド9 によって固定する手段を説明したが、これ以外の他の手段としては、図2 (b) 、(c) に示したように、取付枠17にフィルター8 を貼り付けたうえ吸引口6 の先端に嵌着させて固定したり、またネジ付枠18に同様にフィルター8 を貼り付けたうえ吸引口6 の先端に螺着させて固定することもできる。
【００３６】
本構成によれば、モーター10の駆動によって羽根車11が回転し、ケーシング1 内の空気をフィルター8 を介して外に排気するので、ケーシング１内は負圧状態となり、瓦を切断するときに発生した粉塵は、粉塵収集用開口部5 からケーシング1 内に吸引される。そして粉塵の中の大きなものは下面3 に堆積し、微粉塵はフィルター8 に付着するので、外に飛散することが防止される。
また、粉塵吸引手段としての排気ファン7 と粉塵収納手段としてのケーシング1 は極めてシンプルに、且つ、一体的に構成されているので極めてコンパクトであり、足場が悪く、スペースの限られた屋根上でも持ち運びが容易であり、使い勝手が良好である。
【００３７】
実施態様2 
次に、本発明の瓦切断粉塵収集装置における実施態様2 を図3 に基づいて説明する。図３に示したように、本実施態様はフィルター8 を設けた吸引口6 を、下面3 に向けて設けると共に、フィルター8 に錘19を吊設したことを特徴としている。
【００３８】
この構成によれば、図2 に示したスイッチ16のオンによって羽根車11が回転すると、吸引によりフィルター8 が破線で示したように上方に持ち上げられて湾曲し、その状態で粉塵を吸着した後、スイッチ16のオフにより錘19の作用によって下降し、このフィルター8 の上下動によって、フィルター8 に付着した粉塵は振り払われてケーシング1 の下面3 に落下するので、スイッチ16のオン・オフによってフィルター８が自動的に掃除されるというメリットがある。
【００３９】
実施態様3 
本発明の実施態様3 としての瓦切断粉塵収集装置を図4(a)、(b) に基づいて説明する。なお、前述と同様の構成要素についての説明は割愛し、相違する要素について説明する。以下の実施態様においても同様である。
【００４０】
図4(a)、(b) に示したものは、図1 に示したケーシング1 の上面2 を側面4 に着脱自在に取り付けられるようにした形態であるが、図4(a)の形態では、ケーシング1 はケーシング本体20と、この本体20から着脱自在の蓋の役割をする上面2 とに分離することが可能である。
【００４１】
また、図4(b)の形態では、ケーシング1 はケーシング本体20と、この本体20の側面4 に設けたヒンジ21を介して蓋の役割をする上面2 とは分離され、必要に応じて、上面2 はヒンジ21を支点にして開閉することが可能である。
【００４２】
本実施態様によれば、上面2 は蓋として開閉することができるので、装置内部の点検や、フィルターの掃除や取り替え等を容易に行うことができる。
【００４３】
実施態様4 
本発明の実施態様4 としての瓦切断粉塵収集装置を図5 に基づいて説明する。
図5 に示したように、ケーシング1 の下面3 を横にスライドさせることにより開閉可能にすると共に、該下面3 の下部には上方が開放された粉塵入れ22が着脱自在に側面4 に取り付けられている。
本実施態様によれば、下面3 をスライドさせるとケーシング1 の底が開くので、粉塵を落下させて粉塵入れ22に収容することができ、また側面4 から着脱自在に形成されている該粉塵入れ22を外して容易に粉塵を廃棄することができる。
【００４４】
実施態様5 
本発明の実施態様5 としての瓦切断粉塵収集装置を図6 に基づいて説明する。
図6 に示したように、本実施態様は、図4(b)に示した形態と上下が逆の構成で、ケーシング1 はケーシング本体20と、この本体20の側面4 に設けたヒンジ21を介しケーシング1 の底の役割をする下面3 とは分離され、必要に応じて、下面3 はヒンジ21を支点にして開閉することが可能である。
本実施態様によっても前述と同様に、下面3 を開閉することができるので、装置内部の点検をしたり、ケーシング1 内に溜まった粉塵を底の方から容易に廃棄することができる。
【００４５】
実施態様6 
本発明の実施態様６は、図7 に示したように、ケーシング1 の4 隅の下面3 には、先端にゴム、エラストマーなどの摩擦係数の大きい素材を貼り付けて滑りにくくした滑り止め脚部23を設けている。該滑り止め脚部23のそれぞれは、軸材と管材からネジ式又は摺動式に形成されていて、脚部の長さが伸縮自在に調節できるように形成されている。尚、滑り止め脚部23の設ける位置は、ケーシング1 の4 隅とは限らず、装置のバランスを考慮したうえ3 箇所に設けてもよい。
【００４６】
本実施態様によれば、脚部の長さが自在に調節できるので、屋根に傾斜がある場合でも装置が水平になるように容易に調節でき、また脚部は滑り難いので、装置を安定した状態で使うことが可能となる。したがって、瓦の切断作業の作業効率が向上すると共に、装置を屋根の上で使用してもその安全性が確保されるという効果が得られる。
【００４７】
実施態様7 
本発明の実施態様７は、図8 に示したように、排気ファン7 として、市販のトイレファンをケーシング1 の4 個の側面に各1 個の計4 個設けた他は実施態様1 と同様である。
【００４８】
実施態様8 
本発明の実施態様8 は、図9 に示したように、吸引口6 にメッシュ状の枠体24を取付け、該枠体24に袋状のフィルター8 を被着させた他は実施態様７と同様である。
本実施態様によれば、メッシュ状の枠体24の周面だけフィルターの表面積が拡大され、それだけ粉塵の吸着能力を大きくすることができる。
【産業上の利用可能性】
【００４９】
叙上のとおり、本発明の瓦切断粉塵収集装置は、粉塵吸引手段と粉塵収納手段とはシンプルで、且つ、一体的に構成されているので、持ち運びが容易なうえ使い勝手が良く、例えば、足場の悪い屋根上の施工場所等においても容易に設置でき、ディスクグラインダー等の瓦の切断機を屋根上で使う際には極めて有用である。
【図面の簡単な説明】
【００５０】
【図１】本発明の実施態様１における瓦切断粉塵収集装置の斜視図である。
【図２】（ａ）同装置の排気ファン付近の構成を示す断面図である。  （ｂ）同排気ファンの吸い込み口に装着されるフィルターの他の装着手段を示す部分断面図である。   (ｃ) 同排気ファンの吸い込み口に装着されるフィルターの更に他の装着手段を示す部分断面図である。
【図３】本発明の実施態様2 における瓦切断粉塵収集装置の吸引部を示す部分断面図である。
【図４】（ａ）本発明の実施態様3 における瓦切断粉塵収集装置の上面の形態を示す側面図である。（ｂ）同装置の他の上面の形態を示す側面図である。
【図５】本発明の実施態様4 における瓦切断粉塵収集装置の下面の形態を示す部分断面側面図である。
【図６】本発明の実施態様5 における瓦切断粉塵収集装置の他の下面の形態を示す側面図である。
【図７】本発明の実施態様6 における瓦切断粉塵収集装置の下面に滑り止め脚部が設けられた状態を示す側面図である。
【図８】本発明の実施態様7 における瓦切断粉塵収集装置の要部断面図である。
【図９】本発明の実施態様8 における瓦切断粉塵収集装置の要部断面図である。
【符号の説明】
【００５１】
1   ケーシング
2   上面
3   下面
4   側面
5   粉塵収集用開口部
6   吸引口
7   排気ファン
8   フィルター
9   ゴムバンド
10  モーター
11  羽根車
12  カバー
13  隙間
14  電源プラグ
15  電源コード
16  スイッチ
17  取り付枠
18  ネジ付枠
19  錘
20  ケーシング本体
21  ヒンジ
22  粉塵入れ
23  滑り止め脚部
24  メッシュ状の枠体
【図１】
2007090808.tif 000003
【図２】
2007090808.tif 000004
【図３】
2007090808.tif 000005
【図４】
2007090808.tif 000006
【図５】
2007090808.tif 000007
【図６】
2007090808.tif 000008
【図７】
2007090808.tif 000009
【図８】
2007090808.tif 000010
【図９】
2007090808.tif 000011